【手続補正書】
【提出日】平成16年4月26日(2004.4.26)
【手続補正１】
【補正対象書類名】明細書
【補正対象項目名】発明の名称
【補正方法】変更
【補正の内容】
【発明の名称】カバー体のロック機構及び該機構を備えた記録及び／又は再生装置
【手続補正２】
【補正対象書類名】明細書
【補正対象項目名】特許請求の範囲
【補正方法】変更
【補正の内容】
【特許請求の範囲】
【請求項１】
本体部を覆うカバー体に設けられた係合部材と、
本体部に支持されると共に被押当部と係合部材に係合する係合部と、
該係合部と係合部材とが係合してカバー体を閉塞位置にロックするロック方向及びその反対方向の非ロック方向に移動可能なロックレバーと、
ロックレバーにロック方向への移動力を付勢する弾性部材と、
本体部に回動自在に支持されると共に被押圧部とロックレバーの被押当部に接する押当部とを有する回動部材と、
本体部に支持されると共に回動レバーの被押圧部を押圧して回動部材を回動させる押圧部を有する操作釦とを備え、
操作釦を押圧して回動部材を一方向へ回動させることによりロックレバーを非ロック方向に移動させるようにした
ことを特徴とするカバー体のロック機構。
【請求項２】
操作釦は本体部に支持軸を介して支持され、該支持軸が操作釦に一体に形成された
ことを特徴とする請求項１に記載のカバー体のロック機構。
【請求項３】
ロックレバーに作用する弾性部材の弾性力が回動部材の被押圧部を介して操作釦に作用されるようにした
ことを特徴とする請求項１に記載のカバー体のロック機構。
【請求項４】
ロックレバーに作用する弾性部材の弾性力が回動部材の被押圧部を介して操作釦に作用されるようにした
ことを特徴とする請求項２に記載のカバー体のロック機構。
【請求項５】
本体部に設けられた記録部及び／又は再生部と、
本体部を覆うカバー体に設けられた係合部材と、
本体部に支持されると共に被押当部と係合部材に係合する係合部と、
該係合部と係合部材とが係合してカバー体を閉塞位置にロックするロック方向及びその反対方向の非ロック方向に移動可能なロックレバーと、
ロックレバーにロック方向への移動力を付勢する弾性部材と、
本体部に回動自在に支持されると共に被押圧部とロックレバーの被押当部に接する押当部とを有する回動部材と、
本体部に支持されると共に回動レバーの被押圧部を押圧して回動部材を回動させる押圧部を有する操作釦とを備え、
操作釦を押圧して回動部材を一方向へ回動させることによりロックレバーを非ロック方向に移動させるようにした
ことを特徴とするカバー体のロック機構を備えた記録及び／又は再生装置。
【手続補正３】
【補正対象書類名】明細書
【補正対象項目名】０００６
【補正方法】変更
【補正の内容】
【０００６】
そこで、本発明カバー体のロック機構及び該機構を備えた記録及び／又は再生装置は、上記した問題点を克服し、本体部を覆うカバー体を開放する際の、操作性の向上を図ることを課題とする。


【手続補正４】
【補正対象書類名】明細書
【補正対象項目名】０００７
【補正方法】変更
【補正の内容】
【０００７】
【課題を解決するための手段】
本発明カバー体のロック機構は、上記した課題を解決するために、本体部を覆うカバー体に設けられた係合部材と、本体部に支持されると共に被押当部と係合部材に係合する係合部と、該係合部と係合部材とが係合してカバー体を閉塞位置にロックするロック方向及びその反対方向の非ロック方向に移動可能なロックレバーと、ロックレバーにロック方向への移動力を付勢する弾性部材と、本体部に回動自在に支持されると共に被押圧部とロックレバーの被押当部に接する押当部とを有する回動部材と、本体部に支持されると共に回動レバーの被押圧部を押圧して回動部材を回動させる押圧部を有する操作釦とを備えたものである。そして、本発明記録及び／又は再生装置は、このようなカバー体のロック機構を備えたものである。
【手続補正５】
【補正対象書類名】明細書
【補正対象項目名】０００８
【補正方法】変更
【補正の内容】
【０００８】
従って、本発明カバー体のロック機構及び該機構を備えた記録及び／又は再生装置にあっては、操作釦を押圧して回動部材を一方向へ回動させることによりロックレバーが非ロック方向に移動されカバー体のロックが解除される。


【手続補正６】
【補正対象書類名】明細書
【補正対象項目名】０００９
【補正方法】変更
【補正の内容】
【０００９】
【発明の実施の形態】
以下に本発明カバー体のロック機構及び該機構を備えた記録及び／又は再生装置の実施の形態を添付図面を参照して説明する。尚、図示した実施の形態は本発明を携帯型のＭＤ（ミニディスク）再生装置におけるカバー体のロック機構に適用したものである。


【手続補正７】
【補正対象書類名】明細書
【補正対象項目名】００５５
【補正方法】変更
【補正の内容】
【００５５】
【発明の効果】
以上に記載したところから明らかなように、本発明カバー体のロック機構及び該機構を備えた記録及び／又は再生装置は、本体部を覆うカバー体に設けられた係合部材と、本体部に支持されると共に被押当部と係合部材に係合する係合部と、該係合部と係合部材とが係合してカバー体を閉塞位置にロックするロック方向及びその反対方向の非ロック方向に移動可能なロックレバーと、ロックレバーにロック方向への移動力を付勢する弾性部材と、本体部に回動自在に支持されると共に被押圧部とロックレバーの被押当部に接する押当部とを有する回動部材と、本体部に支持されると共に回動レバーの被押圧部を押圧して回動部材を回動させる押圧部を有する操作釦とを備え、操作釦を押圧して回動部材を一方向へ回動させることによりロックレバーを非ロック方向に移動させるようにしたので、カバー体の開放は操作釦をその正面側から押圧するだけでよく、操作が極めて簡単である。


【手続補正８】
【補正対象書類名】明細書
【補正対象項目名】図面の簡単な説明
【補正方法】変更
【補正の内容】
【図面の簡単な説明】
【図１】図２乃至図１１と共に本発明カバー体のロック機構及び該機構を備えた記録及び／又は再生装置の実施の形態を示すものであり、本図は本発明を適用したＭＤ再生装置の斜視図である。
【図２】ＭＤ再生装置の概略分解斜視図である。
【図３】要部の拡大分解斜視図である。
【図４】操作釦を外周フレームから取り外した状態を示す拡大斜視図である。
【図５】図６乃至図１１と共にロック機構の動作を示すものであり、本図はカバー体が閉塞されロックされた状態を示す要部の拡大正面図である。
【図６】カバー体が閉塞されロックされた状態を示す要部の拡大平面図である。
【図７】ロックが解除されカバー体が開放された状態を示す要部の拡大正面図である。
【図８】ロックが解除されカバー体が開放された状態を示す要部の拡大平面図である。
【図９】カバー体が開放された状態で操作釦の操作部への押圧を解除した状態を示す要部の拡大正面図である。
【図１０】図１１と共にカバー体を閉塞する過程を示すものであり、本図はカバー体が回動され係合部材とロックレバーの係合部が当接した状態を示す要部の拡大正面図である。
【図１１】カバー体がさらに回動され係合部材の先端と係合部の先端とが接した状態を示す要部の拡大正面図である。
【符号の説明】
１…ＭＤ再生装置（再生装置）、２…本体部、３…カバー体、９…係合部材、１５…ロック機構、１６…ロックレバー、１７…引張コイルバネ（弾性部材）、１８…回動部材、２０…係合部、２４…被押当部、２７…押当部、２８…被押圧部、３４…操作釦、３７…押圧部、４２…支持軸、４３…支持軸